(57)【特許請求の範囲】
【請求項１】
ジョブと利用者情報と場所情報に対応するジョブの出力制御の規則を記憶する記憶手段、
出力装置から利用者情報とジョブの印刷要求を受信する印刷要求受信手段、
印刷要求を行った利用者の保持する携帯端末に場所確認実施要求を送信する送信手段、
利用者の保持する携帯端末から、又は当該携帯端末からの場所情報を受け取った出力装置経由で場所情報を受信する場所情報受信手段、
受信した場所情報が示す場所で印刷要求を行った利用者によるジョブの印刷が可能な場合は、前記出力装置にジョブを送信する第２の送信手段
を具備し、
印刷要求受信時に、印刷したい態様も受け取り、出力装置の能力も考慮してジョブの印刷の可否を判断する
ことを特徴とする情報処理装置。
【請求項２】
ジョブと利用者情報と場所情報に対応するジョブの出力制御の規則を記憶する記憶手段、
出力装置から利用者情報とジョブの印刷要求を受信する印刷要求受信手段、
印刷要求を行った利用者の保持する携帯端末に場所確認実施要求を送信する送信手段、
利用者の保持する携帯端末から、又は当該携帯端末からの場所情報を受け取った出力装置経由で場所情報を受信する場所情報受信手段、
受信した場所情報が示す場所で印刷要求を行った利用者によるジョブの印刷が可能な場合は、前記出力装置にジョブを送信する第２の送信手段
を具備し、
前記記憶手段は、前記利用者とは異なる者であって、出力の承認要求を行う第２の者を前記規則に対応させて記憶しており、
さらに、
前記場所情報受信手段によって受信された情報が前記規則に合致する場合は、該規則に対応する前記第２の者に承認要求を送信する第３の送信手段、
前記第２の者から前記承認要求の返信を受信する返信受信手段
を具備し、
前記第２の送信手段は、前記第２の者から承認を示す情報を受信した場合は、前記出力装置にジョブを送信する
ことを特徴とする情報処理装置。
【請求項３】
携帯端末と出力装置は近距離無線通信で場所情報のやり取りを行う
ことを特徴とする請求項１又は２に記載の情報処理装置。
【請求項４】
コンピュータを、
ジョブと利用者情報と場所情報に対応するジョブの出力制御の規則を記憶する記憶手段、
出力装置から利用者情報とジョブの印刷要求を受信する印刷要求受信手段、
印刷要求を行った利用者の保持する携帯端末に場所確認実施要求を送信する送信手段、
利用者の保持する携帯端末から、又は当該携帯端末からの場所情報を受け取った出力装置経由で場所情報を受信する場所情報受信手段、
受信した場所情報が示す場所で印刷要求を行った利用者によるジョブの印刷が可能な場合は、前記出力装置にジョブを送信する第２の送信手段
として機能させ、
印刷要求受信時に、印刷したい態様も受け取り、出力装置の能力も考慮してジョブの印刷の可否を判断する
情報処理プログラム。
【請求項５】
コンピュータを、
ジョブと利用者情報と場所情報に対応するジョブの出力制御の規則を記憶する記憶手段、
出力装置から利用者情報とジョブの印刷要求を受信する印刷要求受信手段、
印刷要求を行った利用者の保持する携帯端末に場所確認実施要求を送信する送信手段、
利用者の保持する携帯端末から、又は当該携帯端末からの場所情報を受け取った出力装置経由で場所情報を受信する場所情報受信手段、
受信した場所情報が示す場所で印刷要求を行った利用者によるジョブの印刷が可能な場合は、前記出力装置にジョブを送信する第２の送信手段
として機能させ、
前記記憶手段は、前記利用者とは異なる者であって、出力の承認要求を行う第２の者を前記規則に対応させて記憶しており、
さらに、
前記場所情報受信手段によって受信された情報が前記規則に合致する場合は、該規則に対応する前記第２の者に承認要求を送信する第３の送信手段、
前記第２の者から前記承認要求の返信を受信する返信受信手段
として機能させ、
前記第２の送信手段は、前記第２の者から承認を示す情報を受信した場合は、前記出力装置にジョブを送信する
情報処理プログラム。
【発明の詳細な説明】
【技術分野】
【０００１】
本発明は、情報処理装置及び情報処理プログラムに関する。
【背景技術】
【０００２】
特許文献１には、ネットワーク環境に応じて出力機器の機能を制限できる情報処理装置、出力制御プログラム及び出力システムを提供することを課題とし、出力機器に出力ジョブを提供する情報処理装置であって、出力機器が設置されるネットワーク環境、及び、ネットワーク環境において出力機器で出力ジョブを出力するときの設定に関する条件を関連付けた規則情報から、出力機器の設定に関する条件を取得して、出力機器に提供する設定提供手段と、出力ジョブ取得要求の設定が、出力機器の設定に関する条件を満たしていれば、出力ジョブ取得要求に対応した出力ジョブを出力機器に提供する出力ジョブ提供手段とを有することが開示されている。
【先行技術文献】
【特許文献】
【０００３】
【特許文献１】特開２０１３−１９６６６８号公報
【発明の概要】
【発明が解決しようとする課題】
【０００４】
プルプリントシステムではサーバに蓄積されている印刷ジョブをユーザーが取得して任意の出力装置から出力する。最近では、コンビニや出張先に設置された出力装置から出力する機会があるため、環境に応じて出力機能の制限を行うことが望まれる。特許文献１では、制限を出力装置に付されたＩＰアドレス、サブネットマスクにより判断している。
ところで、ＩＰアドレスやサブネットマスクの利用では出力装置の設置されている場所の判断が困難であり、場所を把握するために、出力装置毎にＧＰＳ装置等を付属させるとコストがかかる。
そこで、本発明は、プルプリントを行うときに、ユーザーの保有する携帯端末を利用して出力場所の位置に応じて、印刷制限を実施するようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、ジョブと利用者情報と場所情報に対応するジョブの出力制御の規則を記憶する記憶手段、出力装置から利用者情報とジョブの印刷要求を受信する印刷要求受信手段、印刷要求を行った利用者の保持する携帯端末に場所確認実施要求を送信する送信手段、利用者の保持する携帯端末から、又は当該携帯端末からの場所情報を受け取った出力装置経由で場所情報を受信する場所情報受信手段、受信した場所情報が示す場所で印刷要求を行った利用者によるジョブの印刷が可能な場合は、前記出力装置にジョブを送信する第２の送信手段を具備し、印刷要求受信時に、印刷したい態様も受け取り、出力装置の能力も考慮してジョブの印刷の可否を判断することを特徴とする情報処理装置である。
請求項２の発明は、ジョブと利用者情報と場所情報に対応するジョブの出力制御の規則を記憶する記憶手段、出力装置から利用者情報とジョブの印刷要求を受信する印刷要求受信手段、印刷要求を行った利用者の保持する携帯端末に場所確認実施要求を送信する送信手段、利用者の保持する携帯端末から、又は当該携帯端末からの場所情報を受け取った出力装置経由で場所情報を受信する場所情報受信手段、受信した場所情報が示す場所で印刷要求を行った利用者によるジョブの印刷が可能な場合は、前記出力装置にジョブを送信する第２の送信手段を具備し、前記記憶手段は、前記利用者とは異なる者であって、出力の承認要求を行う第２の者を前記規則に対応させて記憶しており、さらに、前記場所情報受信手段によって受信された情報が前記規則に合致する場合は、該規則に対応する前記第２の者に承認要求を送信する第３の送信手段、前記第２の者から前記承認要求の返信を受信する返信受信手段を具備し、前記第２の送信手段は、前記第２の者から承認を示す情報を受信した場合は、前記出力装置にジョブを送信することを特徴とする情報処理装置である。
【０００６】
請求項３の発明は、携帯端末と出力装置は近距離無線通信で場所情報のやり取りを行うことを特徴とする請求項１又は２に記載の情報処理装置である。
【０００９】
請求項４の発明は、コンピュータを、ジョブと利用者情報と場所情報に対応するジョブの出力制御の規則を記憶する記憶手段、出力装置から利用者情報とジョブの印刷要求を受信する印刷要求受信手段、印刷要求を行った利用者の保持する携帯端末に場所確認実施要求を送信する送信手段、利用者の保持する携帯端末から、又は当該携帯端末からの場所情報を受け取った出力装置経由で場所情報を受信する場所情報受信手段、受信した場所情報が示す場所で印刷要求を行った利用者によるジョブの印刷が可能な場合は、前記出力装置にジョブを送信する第２の送信手段として機能させ、印刷要求受信時に、印刷したい態様も受け取り、出力装置の能力も考慮してジョブの印刷の可否を判断する情報処理プログラムである。
請求項５の発明は、コンピュータを、ジョブと利用者情報と場所情報に対応するジョブの出力制御の規則を記憶する記憶手段、出力装置から利用者情報とジョブの印刷要求を受信する印刷要求受信手段、印刷要求を行った利用者の保持する携帯端末に場所確認実施要求を送信する送信手段、利用者の保持する携帯端末から、又は当該携帯端末からの場所情報を受け取った出力装置経由で場所情報を受信する場所情報受信手段、受信した場所情報が示す場所で印刷要求を行った利用者によるジョブの印刷が可能な場合は、前記出力装置にジョブを送信する第２の送信手段として機能させ、前記記憶手段は、前記利用者とは異なる者であって、出力の承認要求を行う第２の者を前記規則に対応させて記憶しており、さらに、前記場所情報受信手段によって受信された情報が前記規則に合致する場合は、該規則に対応する前記第２の者に承認要求を送信する第３の送信手段、前記第２の者から前記承認要求の返信を受信する返信受信手段として機能させ、前記第２の送信手段は、前記第２の者から承認を示す情報を受信した場合は、前記出力装置にジョブを送信する情報処理プログラムである。
【発明の効果】
【００１０】
請求項１の情報処理装置によれば、出力装置のＩＰアドレス、サブネットマスクを利用して印刷制限を行う場合と比較して、ユーザー毎の情報に基づいて対応内容を提示することができる。また、印刷したい態様を満たす出力装置である場合に、出力することができる。
請求項２の情報処理装置によれば、出力装置のＩＰアドレス、サブネットマスクを利用して印刷制限を行う場合と比較して、ユーザー毎の情報に基づいて対応内容を提示することができる。また、第２の者から承認された場合に、出力することができる。
【００１１】
請求項３の情報処理装置によれば、場所情報を受信した場合は、携帯端末と出力装置は近距離であることを保証することができる。
【００１４】
請求項４の情報処理プログラムによれば、出力装置のＩＰアドレス、サブネットマスクを利用して印刷制限を行う場合と比較して、ユーザー毎の情報に基づいて対応内容を提示することができる。また、印刷したい態様を満たす出力装置である場合に、出力することができる。
請求項５の情報処理プログラムによれば、出力装置のＩＰアドレス、サブネットマスクを利用して印刷制限を行う場合と比較して、ユーザー毎の情報に基づいて対応内容を提示することができる。また、第２の者から承認された場合に、出力することができる。
【図面の簡単な説明】
【００１５】
【図１】第１の実施の形態の構成例についての概念的なモジュール構成図である。
【図２】本実施の形態を利用したシステム構成例を示す説明図である。
【図３】第１の実施の形態による処理例を示すフローチャートである。
【図４】ルールテーブルのデータ構造例を示す説明図である。
【図５】第１の実施の形態による処理例を示すフローチャートである。
【図６】画像処理装置能力テーブルのデータ構造例を示す説明図である。
【図７】第２の実施の形態の構成例についての概念的なモジュール構成図である。
【図８】第２の実施の形態による処理例を示すフローチャートである。
【図９】ルールテーブルのデータ構造例を示す説明図である。
【図１０】本実施の形態を実現するコンピュータのハードウェア構成例を示すブロック図である。
【発明を実施するための形態】
【００１６】
以下、図面に基づき本発明を実現するにあたっての好適な各種の実施の形態の例を説明する。
＜＜第１の実施の形態＞＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１７】
第１の実施の形態である情報処理装置１００は、プルプリントシステムにおける印刷を制御するものであって、図１の例に示すように、規則記憶モジュール１０５、出力要求受信モジュール１１０、場所確認要求送信モジュール１１５、場所情報受信モジュール１２０、制御モジュール１２５、印刷ジョブ送信モジュール１３０を有している。
なお、プルプリントシステムとは、サーバ装置（例えば、プリントサーバ、スプールサーバとも言われる）が、パーソナルコンピュータ（Ｐｅｒｓｏｎａｌ  Ｃｏｍｐｕｔｅｒ）等のクライアント端末から送信された印刷ジョブ（以下、単に、ジョブともいう）を利用者（以下、ユーザーともいう）毎に格納しておき、出力装置（以下、画像処理装置ともいう）が利用者の指定した印刷ジョブをサーバ装置から取得して印刷するものである。情報処理装置１００は、プルプリントシステムにおけるサーバ装置に用いられるものである。なお、サーバ装置は、必ずしも１台の装置で実現する必要はなく、複数台の装置で実現されていてもよく、例えば、図２を用いて後述するように、情報処理装置１００、コンテンツ管理装置２１０を用いて、プルプリントシステムにおけるサーバ装置の機能を実現するようにしてもよい。また、出力装置として、例えば、プリンタ、ファックス、複合機（スキャナ、プリンタ、複写機、ファックス等のいずれか２つ以上の機能を有している画像処理装置）等がある。
【００１８】
規則記憶モジュール１０５は、制御モジュール１２５と接続されている。規則記憶モジュール１０５は、ジョブと利用者情報と場所情報に対応するジョブの出力制御の規則を記憶している。例えば、ルールテーブル４００を記憶している。図４は、ルールテーブル４００のデータ構造例を示す説明図である。ルールテーブル４００は、ユーザーＩＤ欄４１０、コンテンツＩＤ欄４２０、場所情報欄４３０を有している。ユーザーＩＤ欄４１０は、ユーザーを、本実施の形態において一意に識別するための利用者情報（ユーザーＩＤ：ＩＤｅｎｔｉｆｉｃａｔｉｏｎ）を記憶している。コンテンツＩＤ欄４２０は、ジョブであるコンテンツ（印刷対象である文書等）を、本実施の形態において一意に識別するための情報（コンテンツＩＤ）を記憶している。場所情報欄４３０は、場所情報を記憶している。場所を指し示す情報であるならば、どのような形態の情報であってもよい。例えば、緯度、経度で示される場所（領域を含む）、その地域を示す名称（地名、駅名、建物名等）、組織名称（会社名、学校名等）等がある。
ルールテーブル４００の各行は、予めユーザーのプルプリントの設定によって生成され、ジョブの出力制御の規則を表している。つまり、そのプルプリントの設定を行ったユーザーのユーザーＩＤ、印刷の対象であるコンテンツを指し示すコンテンツＩＤ、印刷場所を示す場所情報によって構成されている。したがって、そのユーザーが、その印刷場所にある出力装置（プリンタ）を用いて、そのコンテンツが印刷されることが予定されていることになる。
【００１９】
出力要求受信モジュール１１０は、場所確認要求送信モジュール１１５と接続されている。出力要求受信モジュール１１０は、出力装置から利用者情報とジョブの印刷要求を受信する。ユーザーは、予めプルプリントの設定によって登録したコンテンツの印刷要求を、出力装置のキー、タッチパネル等のユーザーインターフェースを用いて指定する。その際に、ユーザーＩＤを特定するための、ログイン処理を行うようにしてもよい。ログイン処理として、例えば、ユーザーによってタッチパネル等が操作され、ユーザーＩＤ、パスワード等を受け付けて、予め登録されたものと照合するようにしてもよいし、ＩＣカードリーダー等を用いてユーザーが所持しているＩＣカードを読み取り、ＩＣカード内に記憶されている情報を照合するようにしてもよいし、その他、指紋等の生体認証を用いるようにしてもよい。そして、ユーザーの操作によって出力するコンテンツが指定される。なお、出力装置は、情報処理装置１００との通信を行って、そのユーザーＩＤに対応するコンテンツのリストを表示し、ユーザーに選択させるようにしてもよい。その印刷要求を受けた出力装置は、情報処理装置１００に対して、ユーザーＩＤ、コンテンツＩＤを送信する。
もちろんのことながら、ユーザーによるこの印刷要求は、プルプリント指示の場所情報で指定された位置にある出力装置から行われるのが一般的である。逆に、場所情報で指定された位置以外の位置にある出力装置からの印刷要求は、拒否されることとなる。
【００２０】
場所確認要求送信モジュール１１５は、出力要求受信モジュール１１０、場所情報受信モジュール１２０と接続されている。場所確認要求送信モジュール１１５は、印刷要求を行った利用者の保持する携帯端末に場所確認実施要求を送信する。例えば、情報処理装置１００は、ユーザーＩＤとそのユーザーＩＤのユーザーが保持する携帯端末に通知するための連絡先であるアドレス（携帯電話番号、メールアドレス等）を対応させて記憶している。そのアドレスに、場所確認実施要求を送信する。携帯端末には、携帯電話（スマートフォンを含む）、通信可能なタブレット型端末、ノートパソコン等を含む。ここで送信としては、電子メール、チャット、ソーシャルメディアを用いた通知、プッシュ通知等であってもよい。「場所確認実施要求」の内容としては、ユーザーＩＤ（ユーザー名等であってもよい）のユーザーによって、コンテンツＩＤ（コンテンツ名称等であってもよい）のコンテンツが出力されようとしていることを通知し、現在のユーザーの位置（携帯端末の位置も含む）を確認するものである。なお、印刷要求のあった日時（年、月、日、時、分、秒、秒以下、又はこれらの組み合わせであってもよいし、「ｘ分前」のように印刷要求があった時点から現在までの経過時間を示すものであってもよい）、印刷要求のあった出力装置ＩＤ等を通知内容に含めてもよい。
【００２１】
場所情報受信モジュール１２０は、場所確認要求送信モジュール１１５、制御モジュール１２５と接続されている。場所情報受信モジュール１２０は、利用者の保持する携帯端末から、又は当該携帯端末からの場所情報を受け取った出力装置経由で場所情報を受信する。ここでの場所情報は、場所確認要求送信モジュール１１５から送信された場所確認実施要求に対応するものである。「携帯端末からの場所情報」には、携帯端末に内蔵されているＧＰＳ（Ｇｌｏｂａｌ  Ｐｏｓｉｔｉｏｎｉｎｇ  Ｓｙｓｔｅｍ）からの場所情報であってもよいし、携帯電話網に用いられている基地局の場所情報であってもよいし、ｉＢｅａｃｏｎ（登録商標）のようにビーコン端末から携帯端末に送信されてきたビーコン端末ＩＤ等であってもよい。なお、ビーコン端末ＩＤの場合は、ビーコン端末ＩＤとそのビーコン端末が設置されている場所情報とが対応しているテーブルを予め用意しておき、そのテーブルを用いて、ビーコン端末ＩＤから場所情報を抽出するようにしてもよい。
そして、出力装置は、携帯端末からの場所情報を受け取った場合は、その場所情報を情報処理装置１００に送信する。なお、携帯端末と出力装置は近距離無線通信（例えば、ＮＦＣ（Ｎｅａｒ  Ｆｉｅｌｄ  Ｃｏｍｍｕｎｉｃａｔｉｏｎ）等）で場所情報のやり取りを行うようにしてもよい。
【００２２】
制御モジュール１２５は、規則記憶モジュール１０５、場所情報受信モジュール１２０、印刷ジョブ送信モジュール１３０と接続されている。制御モジュール１２５は、受信した場所情報が示す場所で印刷要求を行った利用者によるジョブの印刷が可能な場合は、出力装置にジョブを送信するように印刷ジョブ送信モジュール１３０を制御する。具体的には、ルールテーブル４００内の場所情報欄４３０内の場所情報が、場所情報受信モジュール１２０によって受信された場所情報と合致する場合は、そのユーザーによるジョブの印刷が可能であると判断する。なお、ここでの合致には、完全一致の他に、一方の範囲内に他方の位置が含まれている場合、両者間の距離が予め定められた距離未満又は以下である場合を含む。
また、制御モジュール１２５は、印刷要求受信時に、印刷したい態様も受け取り、出力装置の能力も考慮してジョブの印刷の可否を判断するようにしてもよい。例えば、「印刷したい態様」として、カラー印刷、両面印刷、ステープル止め、セキュアプリント等がある。この判断処理に、例えば、画像処理装置能力テーブル６００を用いる。図６は、画像処理装置能力テーブル６００のデータ構造例を示す説明図である。画像処理装置能力テーブル６００は、画像処理装置の識別情報欄６１０、能力欄６２０を有している。画像処理装置の識別情報欄６１０は、出力装置の識別情報を記憶している。能力欄６２０は、その出力装置の能力を記憶している。例えば、カラー印刷可能か否か、両面印刷可能か否か、ステープル止め可能か否か、セキュアプリント可能か否か等を示す情報を記憶している。画像処理装置能力テーブル６００を用いて、印刷要求のあった出力装置は、印刷したい態様での出力が可能であるか否かを判断すればよい。
印刷ジョブ送信モジュール１３０は、制御モジュール１２５と接続されている。印刷ジョブ送信モジュール１３０は、出力装置にジョブを送信する。ここでのジョブには、少なくとも、その出力装置で出力するコンテンツが含まれている。
【００２３】
図２は、本実施の形態を利用したシステム構成例を示す説明図である。
画像処理装置２２０は、情報処理装置１００に接続し、コンテンツ管理装置２１０内のコンテンツを出力する機能を有している。また、出力するコンテンツ等を指定するためのユーザーインターフェースを有している。また、そのユーザーインターフェースの機能を、携帯端末２３０が提供するようにしてもよい。つまり、画像処理装置２２０における画面が小さい等の場合に、画像処理装置２２０におけるユーザーインターフェースとしての機能を携帯端末２３０が提供し、携帯端末２３０におけるユーザーの操作内容を画像処理装置２２０に送信するようにしてもよい。
コンテンツ管理装置２１０は、印刷すべきコンテンツを保持する。
【００２４】
画像処理装置２２０、携帯端末２３０は、近距離無線通信２８０を介して接続されている。画像処理装置２２０と携帯端末２３０は、近距離無線通信２８０で場所情報のやり取りを行うようにしてもよい。なお、もちろんのことながら、画像処理装置２２０と携帯端末２３０との通信は、ＵＳＢ等を用いた有線による通信であってもよい。ユーザーは、携帯端末２３０を保持しており、画像処理装置２２０で印刷要求を行う。
情報処理装置１００、コンテンツ管理装置２１０、画像処理装置２２０、携帯端末２３０は、通信回線２９０を介してそれぞれ接続されている。通信回線２９０は、無線、有線、これらの組み合わせであってもよく、例えば、通信インフラとしてのインターネット、イントラネット等であってもよい。また、情報処理装置１００、コンテンツ管理装置２１０による機能は、クラウドサービスとして実現してもよい。
画像処理装置２２０は、情報処理装置１００からの許可（情報処理装置１００から送信されるジョブ）があるまで待たなければならないが、情報処理装置１００は次のように待つようにしてもよい。
・定期的ポーリング
・ロングポーリング（予め定められた期間（例えば、１分間等）接続するが、その期間後に接続を断ち、予め定められた期間（例えば、３０秒等）後に接続を開始することを繰り返す）
・接続したまま
・ユーザーの画像処理装置２２０上の操作により、出力要求受信モジュール１１０に確認リクエストを送信
【００２５】
図３は、第１の実施の形態による処理例を示すフローチャートである。
ステップＳ３０２では、画像処理装置２２０は、ユーザーの操作によって、コンテンツ管理装置２１０内のコンテンツの出力指示を受け付ける。
ステップＳ３０４では、画像処理装置２２０は、情報処理装置１００に出力指示、ユーザーＩＤ、画像処理装置２２０の識別情報、コンテンツＩＤを送信する。
ステップＳ３０６では、情報処理装置１００がユーザーの携帯端末２３０内のアプリケーションに、印刷指示があること、場所の確認が必要なことを通知する。携帯端末２３０は、その通知にしたがって、場所確認実施要求があったことを表示する。例えば、「現在の場所情報を送信しますか」等のメッセージを表示する。
ステップＳ３０８では、ユーザーが場所の送信に同意したか否かを判断し、同意した場合はステップＳ３１０へ進み、それ以外の場合は処理を終了する（ステップＳ３９７）。
【００２６】
ステップＳ３１０では、携帯端末２３０は、画像処理装置２２０に場所情報を送信する。
ステップＳ３１２では、画像処理装置２２０は、情報処理装置１００に場所情報を送信する。
ステップＳ３１４では、ユーザーＩＤ、コンテンツＩＤ、場所情報の組み合わせはルール上出力可能か否かを判断し、出力可能である場合はステップＳ３１６へ進み、それ以外の場合は処理を終了する（ステップＳ３９８）。具体的には、前述のルールテーブル４００内の情報と情報処理装置１００が受信した情報は合致するか否かを判断するものである。
ステップＳ３１６では、情報処理装置１００から画像処理装置２２０にコンテンツを送信する。
ステップＳ３１８では、画像処理装置２２０がコンテンツを出力する。
なお、ステップＳ３９７、ステップＳ３９８で終了した場合は、コンテンツの出力は行わない。また、ステップＳ３１０とＳ３１２の処理を行う代わりに、携帯端末２３０が情報処理装置１００に場所情報を直接送信することとしてもよい。
【００２７】
図５は、第１の実施の形態による処理例を示すフローチャートである。図５の例に示すフローチャートは、印刷したい態様で印刷できるか否かの判断処理を付加したものであり、図３の例に示したフローチャートのステップＳ３１４とステップＳ３１６の間に、ステップＳ５１６、ステップＳ５９８の処理を付加したものである。
ステップＳ５０２では、画像処理装置２２０は、ユーザーの操作によって、コンテンツ管理装置２１０内のコンテンツの出力指示（印刷態様付）を受け付ける。
ステップＳ５０４では、画像処理装置２２０は、情報処理装置１００に出力指示、ユーザーＩＤ、画像処理装置２２０の識別情報、コンテンツＩＤ、印刷態様を送信する。
ステップＳ５０６では、情報処理装置１００がユーザーの携帯端末２３０内のアプリケーションに、印刷指示があること、場所の確認が必要なことを通知する。
ステップＳ５０８では、ユーザーが場所の送信に同意したか否かを判断し、同意した場合はステップＳ５１０へ進み、それ以外の場合は処理を終了する（ステップＳ５９６）。
【００２８】
ステップＳ５１０では、携帯端末２３０は、画像処理装置２２０に場所情報を送信する。
ステップＳ５１２では、画像処理装置２２０は、情報処理装置１００に場所情報を送信する。
ステップＳ５１４では、ユーザーＩＤ、コンテンツＩＤ、場所情報の組み合わせはルール上出力可能か否かを判断し、出力可能である場合はステップＳ５１６へ進み、それ以外の場合は処理を終了する（ステップＳ５９７）。
ステップＳ５１６では、その画像処理装置２２０は、印刷態様の能力を有しているか否かを判断し、有している場合はステップＳ５１８へ進み、それ以外の場合は処理を終了する（ステップＳ５９８）。
ステップＳ５１８では、情報処理装置１００から画像処理装置２２０にコンテンツを送信する。
ステップＳ５２０では、画像処理装置２２０がコンテンツをユーザーの希望する印刷態様で出力する。
なお、ステップＳ５９６、ステップＳ５９７、ステップＳ５９８で終了した場合は、コンテンツの出力は行わない。また、ステップＳ５１０とＳ５１２の処理を行う代わりに、携帯端末２３０が情報処理装置１００に場所情報を直接送信することとしてもよい。
【００２９】
＜＜第２の実施の形態＞＞
図７は、第２の実施の形態の構成例についての概念的なモジュール構成図である。
情報処理装置７００は、第１の実施の形態の情報処理装置１００の制御モジュール１２５内に通知・同意処理モジュール７２５を付加したものである。情報処理装置７００は、規則記憶モジュール１０５、出力要求受信モジュール１１０、場所確認要求送信モジュール１１５、場所情報受信モジュール１２０、制御モジュール１２５、印刷ジョブ送信モジュール１３０を有している。なお、第１の実施の形態と同種の部位には同一符号を付し重複した説明を省略する。
規則記憶モジュール１０５は、利用者とは異なる者であって、出力の承認要求を行う第２の者を規則に対応させて記憶している。ここで第２の者として、例えば、利用者の上司等が該当する。例えば、ルールテーブル９００を記憶している。図９は、ルールテーブル９００のデータ構造例を示す説明図である。ルールテーブル９００は、図４の例に示したルールテーブル４００に追加アクション欄９４０を付加したものである。ルールテーブル９００は、ユーザーＩＤ欄９１０、コンテンツＩＤ欄９２０、場所情報欄９３０、追加アクション欄９４０を有している。ユーザーＩＤ欄９１０は、ユーザーＩＤを記憶している。コンテンツＩＤ欄９２０は、コンテンツＩＤを記憶している。場所情報欄９３０は、場所情報を記憶している。追加アクション欄９４０は、追加アクションを記憶している。例えば、出力装置から印刷要求を受け取った場合に、通知又は承認要求を行う前述の第２の者への連絡先であるアドレスを記憶している。なお、追加アクション欄９４０には、具体的なアドレスの他、ユーザーの上司、経理課長等の役職等を指定して、それらのアドレスを抽出するようにしてもよい。
【００３０】
制御モジュール１２５は、通知・同意処理モジュール７２５を有している。
通知・同意処理モジュール７２５は、場所情報受信モジュール１２０によって受信された情報が、規則記憶モジュール１０５内の規則に合致する場合は、その規則に対応する第２の者に承認要求を送信する。例えば、ルールテーブル９００を用いて、第２の者のアドレスを取得して、そのアドレスに承認要求を送信する。ここで送信としては、電子メール、チャット、ソーシャルメディアを用いた通知、プッシュ通知等であってもよい。「承認要求」の内容としては、ユーザーＩＤのユーザーによって、コンテンツＩＤのコンテンツが、出力装置ＩＤの出力装置（場所であってもよい）で出力されようとしていることを通知し、その出力の承認（許可）を得ようとするものである。そして、第２の者から承認要求の返信を受信する。なお、単なる通知を行うようにしてもよい。
そして、制御モジュール１２５は、第２の者から承認を示す情報を受信した場合は、出力装置にジョブを送信するように印刷ジョブ送信モジュール１３０を制御する。具体的には、ルールテーブル９００内のユーザーＩＤ欄９１０、コンテンツＩＤ欄９２０、場所情報欄９３０内の情報が、情報処理装置１００と同様に確認され、さらに、追加アクション欄９４０内の第２の者から承認があった場合は、そのユーザーによるジョブの印刷が可能であると判断する。
【００３１】
図８は、第２の実施の形態による処理例を示すフローチャートである。図８の例に示すフローチャートは、印刷を行うのに同意が必要であったか否かの判断処理を付加したものであり、図３の例に示したフローチャートのステップＳ３１４とステップＳ３１６の間に、ステップＳ８１６、ステップＳ８１８、ステップＳ８９８の処理を付加したものである。
ステップＳ８０２では、画像処理装置２２０は、ユーザーの操作によって、コンテンツ管理装置２１０内のコンテンツの出力指示を受け付ける。
ステップＳ８０４では、画像処理装置２２０は、情報処理装置１００に出力指示、ユーザーＩＤ、画像処理装置２２０の識別情報、コンテンツＩＤを送信する。
ステップＳ８０６では、情報処理装置１００がユーザーの携帯端末２３０内のアプリケーションに、印刷指示があること、場所の確認が必要なことを通知する。
ステップＳ８０８では、ユーザーが場所の送信に同意したか否かを判断し、同意した場合はステップＳ８１０へ進み、それ以外の場合は処理を終了する（ステップＳ８９６）。
【００３２】
ステップＳ８１０では、携帯端末２３０は、画像処理装置２２０に場所情報を送信する。
ステップＳ８１２では、画像処理装置２２０は、情報処理装置１００に場所情報を送信する。
ステップＳ８１４では、ユーザーＩＤ、コンテンツＩＤ、場所情報の組み合わせはルール上出力可能か否かを判断し、出力可能である場合はステップＳ８１６へ進み、それ以外の場合は処理を終了する（ステップＳ８９７）。
ステップＳ８１６では、情報処理装置１００は、ルールに設定されている通知先又は同意必要なユーザーに通知する。
ステップＳ８１８では、情報処理装置１００は、同意必要なユーザーからの同意を受け取ったか否かを判断し、受け取った場合はステップＳ８２０へ進み、それ以外の場合は処理を終了する（ステップＳ８９８）。
ステップＳ８２０では、情報処理装置１００から画像処理装置２２０にコンテンツを送信する。
ステップＳ８２２では、画像処理装置２２０がコンテンツを出力する。
なお、ステップＳ８９６、ステップＳ８９７、ステップＳ８９８で終了した場合は、コンテンツの出力は行わない。また、ステップＳ８１０とＳ８１２の処理を行う代わりに、携帯端末２３０が情報処理装置１００に場所情報を直接送信することとしてもよい。
【００３３】
図１０を参照して、本実施の形態の情報処理装置のハードウェア構成例について説明する。図１０に示す構成は、例えばパーソナルコンピュータ（ＰＣ）等によって構成されるものであり、スキャナ等のデータ読み取り部１０１７と、プリンタ等のデータ出力部１０１８を備えたハードウェア構成例を示している。
【００３４】
ＣＰＵ（Ｃｅｎｔｒａｌ  Ｐｒｏｃｅｓｓｉｎｇ  Ｕｎｉｔ）１００１は、前述の実施の形態において説明した各種のモジュール、すなわち、出力要求受信モジュール１１０、場所確認要求送信モジュール１１５、場所情報受信モジュール１２０、制御モジュール１２５、印刷ジョブ送信モジュール１３０、通知・同意処理モジュール７２５等の各モジュールの実行シーケンスを記述したコンピュータ・プログラムにしたがった処理を実行する制御部である。
【００３５】
ＲＯＭ（Ｒｅａｄ  Ｏｎｌｙ  Ｍｅｍｏｒｙ）１００２は、ＣＰＵ１００１が使用するプログラムや演算パラメータ等を格納する。ＲＡＭ（Ｒａｎｄｏｍ  Ａｃｃｅｓｓ  Ｍｅｍｏｒｙ）１００３は、ＣＰＵ１００１の実行において使用するプログラムや、その実行において適宜変化するパラメータ等を格納する。これらはＣＰＵバス等から構成されるホストバス１００４により相互に接続されている。
【００３６】
ホストバス１００４は、ブリッジ１００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１００６に接続されている。
【００３７】
キーボード１００８、マウス等のポインティングデバイス１００９は、操作者により操作される入力デバイスである。ディスプレイ１０１０は、液晶表示装置又はＣＲＴ（Ｃａｔｈｏｄｅ  Ｒａｙ  Ｔｕｂｅ）等があり、各種情報をテキストやイメージ情報として表示する。
【００３８】
ＨＤＤ（Ｈａｒｄ  Ｄｉｓｋ  Ｄｒｉｖｅ）１０１１は、ハードディスク（フラッシュメモリ等であってもよい）を内蔵し、ハードディスクを駆動し、ＣＰＵ１００１によって実行するプログラムや情報を記録又は再生させる。ハードディスクは、規則記憶モジュール１０５等としての機能を実現させる。さらに、その他の各種データ（コンテンツ等）、各種コンピュータ・プログラム等が格納される。
【００３９】
ドライブ１０１２は、装着されている磁気ディスク、光ディスク、光磁気ディスク、又は半導体メモリ等のリムーバブル記録媒体１０１３に記録されているデータ又はプログラムを読み出して、そのデータ又はプログラムを、インターフェース１００７、外部バス１００６、ブリッジ１００５、及びホストバス１００４を介して接続されているＲＡＭ１００３に供給する。リムーバブル記録媒体１０１３も、ハードディスクと同様のデータ記録領域として利用可能である。
【００４０】
接続ポート１０１４は、外部接続機器１０１５を接続するポートであり、ＵＳＢ、ＩＥＥＥ１３９４等の接続部を持つ。接続ポート１０１４は、インターフェース１００７、及び外部バス１００６、ブリッジ１００５、ホストバス１００４等を介してＣＰＵ１００１等に接続されている。通信部１０１６は、通信回線に接続され、外部とのデータ通信処理を実行する。データ読み取り部１０１７は、例えばスキャナであり、ドキュメントの読み取り処理を実行する。データ出力部１０１８は、例えばプリンタであり、ドキュメントデータの出力処理を実行する。
【００４１】
なお、図１０に示す情報処理装置のハードウェア構成は、１つの構成例を示すものであり、本実施の形態は、図１０に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図１０に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機などに組み込まれていてもよい。
【００４２】
なお、前述の各種の実施の形態を組み合わせてもよく（例えば、ある実施の形態内のモジュールを他の実施の形態内に追加する、入れ替えをする等も含む）、また、各モジュールの処理内容として背景技術で説明した技術を採用してもよい。例えば、図５の例に示したフローチャートと図８の例に示したフローチャートの処理を組み合わせてもよい。
規則記憶モジュール１０５が記憶する規則として、時間帯を付加してもよい。例えば、ルールテーブル４００又はルールテーブル９００に時間帯欄を設けてもよい。つまり、規則に場所だけではなく、時間的な条件も指定可能とする。例えば、「ｘｘ時〜ｙｙ時」の時間帯を指定して、この時間帯に印刷要求を受信したことを条件として、画像処理装置２２０にジョブを送信するようにしてもよい。
前述の各種の実施の形態による同様の制御をプルプリントではなく、複写（コピー）の際に実施するようにしてもよい。つまり、ジョブに複写を含めてもよい。予め定められたユーザーＩＤ、予め定められた場所については、前述の各種の実施の形態による同様の処理を行う。コンテンツＩＤの代替については、スキャンした内容の画像データ、その画像データから抽出した特徴、又は、スキャンした画像から抽出した埋め込み情報等を利用すればよい。埋め込み情報とは、機械可読な態様で電子データを表すために体系的に作られた画像コードをいい、具体的には、１次元バーコード、２次元コード、電子すかし等によって表されるデータである。例えば、２次元コードとしてのＱＲコード（Ｑｕｉｃｋ  Ｒｅｓｐｏｎｓｅ  ｃｏｄｅ：登録商標）が、複写対象の原稿に印刷されており、そのＱＲコードを解析して、その原稿を特定する情報を抽出して、その情報を情報処理装置１００に送信して、同様に規則を適用して、複写の許可を行えばよい。
【００４３】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００４４】
１００…情報処理装置
１０５…規則記憶モジュール
１１０…出力要求受信モジュール
１１５…場所確認要求送信モジュール
１２０…場所情報受信モジュール
１２５…制御モジュール
１３０…印刷ジョブ送信モジュール
２１０…コンテンツ管理装置
２２０…画像処理装置
２３０…携帯端末
２８０…近距離無線通信
２９０…通信回線
７００…情報処理装置
７２５…通知・同意処理モジュール
【図１】
0006493079.tif 000002
【図２】
0006493079.tif 000003
【図３】
0006493079.tif 000004
【図４】
0006493079.tif 000005
【図５】
0006493079.tif 000006
【図６】
0006493079.tif 000007
【図７】
0006493079.tif 000008
【図８】
0006493079.tif 000009
【図９】
0006493079.tif 000010
【図１０】
0006493079.tif 000011